(57)【要約】【課題】印刷物の諸条件をもとに印刷ページ順序を並べ替え、エンジンの性能に即した形で両面印刷を実行することにより、両面印刷順序を最適に行うことを可能にした画像形成装置を提供する。【解決手段】印刷動作が終了した用紙を反転して再給紙し、再給紙した紙の非印刷面に対して印刷することにより両面印刷を行う画像形成装置において、搬送路上に複数枚の用紙を載せて両面印刷の生産性を上げるインターリーフ方式を実現するために設けられた印刷順序を表す印刷待ちリストを２つ有し、印刷データの面属性（表、裏）によって接続する印刷待ちリストを切り替えることで最適な両面印刷を行う構成となっている。【選択図】      図９
2004347627.tif 000002
【特許請求の範囲】
【請求項１】
印刷動作が終了した用紙を反転して再給紙し、再給紙した紙の反転印刷面に対して印刷することにより両面印刷を行う画像形成装置であって、
前記用紙の搬送路上に複数枚の用紙を載せるインターリーフ方式を実現するために設けられた印刷順序を表す印刷待ちリストを少なくとも２つ有し、最適な両面印刷を行うために印刷データの面属性によって接続する印刷待ちリストを切り替えることを特徴とする画像形成装置。
【請求項２】
請求項１の画像形成装置において、前記搬送路の長さによって両面印刷順序を変更して最適な両面印刷を行うことを特徴とする画像形成装置。
【請求項３】
請求項１の画像形成装置において、前記印刷待ちリストに連なる印刷データがもつ色の違いによって接続する印刷待ちリスト内のページ順序を切り替えて印刷順序を制御することを特徴とする画像形成装置。
【請求項４】
請求項１の画像形成装置において、前記印刷用紙の大きさによって、接続する印刷待ちリスト内のページ順序を切り替えて印刷順序を制御することを特徴とする画像形成装置。
【請求項５】
請求項１の画像形成装置において、印刷用紙の厚さによって、接続する印刷待ちリスト内のページ順序を切り替えて印刷順序を制御することを特徴とする画像形成装置。
【請求項６】
請求項１の画像形成装置において、印刷ジョブの所有者の違いによって、接続する印刷待ちリスト内のページ順序を切り替えて印刷順序を制御することを特徴とする画像形成装置。
【請求項７】
請求項１の画像形成装置において、印刷中に発生する印刷する用紙無しの状態によって、接続する印刷待ちリスト内のページ順序を切り替えて印刷順序を制御することを特徴とする画像形成装置。
【請求項８】
請求項１の画像形成装置において、印刷中に発生する消耗品切れとなった状態によって、接続する印刷待ちリスト内のページ順序を切り替えて印刷順序を制御することを特徴とする画像形成装置。
【請求項９】
請求項１の画像形成装置において、両面印刷中に片面印刷を要求された場合に、接続する印刷待ちリスト内のページ順序を切り替えて印刷順序を制御することを特徴とする画像形成装置。
【発明の詳細な説明】
【０００１】
【発明の属する技術分野】
本発明は、用紙の両面に画像を形成する複写機やプリンタ等の画像形成装置に関し、特に、印刷データが持つ種々の印刷条件をもとに両面印刷順序を最適に行うことのできる画像形成装置に関する。
【０００２】
【従来の技術】
近年、用紙の両面に画像を形成する複写機やプリンタなどの画像形成装置においては、第一面を連続して印刷し、所定の条件を満たすまで第二面の印刷を待ち状態にし、所定の条件を満たすと今度は第一面を待ち状態にし、第二面を印刷するという形で両面印刷順序を決定する画像形成装置が提案されている（特許文献１）。
また、両面印刷が可能な画像形成装置の中には、インターリーフという機能が搭載されているものがある。これは画像形成部が持つ搬送路上に複数枚の用紙を載せ、両面印刷の生産性を上げるようとするものである。これは、通常、搬送路上に２枚の用紙を載せることができ、フェイスダウン印刷方式の画像形成装置の場合、画像形成装置が行う両面印刷順序は、通常の２→１→４→３→６→５ではなく、２→４→１→６→３→５といった順序となる（数字はページ番号を示す）。
【特許文献１】特許第２８７９９３３号公報
【０００３】
【発明が解決しようとする課題】
しかしながら、このインターリーフ方式は、画像形成装置が持つ搬送路の長さによって一度に載せることができる用紙枚数が変化した場合や、ページが持つ種々の印刷条件により、印刷待ち状態が生じたり、インターリーフそのものが不可能になる場合があり、両面印刷制御が複雑になるという問題点があった。
本発明は、前記問題点を解決するためになされたもので、その目的は、印刷の諸条件をもとに印刷ページ順序を並べ替え、エンジンの性能に即した形で両面印刷を実行することにより、両面印刷順序を最適に行うことを可能にした画像形成装置を提供することである。
【０００４】
【課題を解決するための手段】
上述の目的を達成するために、請求項１記載の発明は、印刷動作が終了した用紙を反転して再給紙し、再給紙した紙の非印刷面に対して印刷することにより両面印刷を行う画像形成装置において、前記用紙の搬送路上に複数枚の用紙を載せて両面印刷の生産性を上げるインターリーフ方式を実現するために設けられた印刷順序を表す印刷待ちリストを少なくとも２つ有し、最適な両面印刷を行うために印刷データの面属性によって接続する印刷待ちリストを切り替えることを特徴とする。
したがって、印刷データの面属性によって接続する印刷待ちリストを自動的に切り替えるものであるので、条件が異なるページであってもエンジンが持つ両面印刷モードを効果的に選択することができ、両面印刷速度の向上を図ることが可能となる。
また、請求項２記載の発明は、請求項１の画像形成装置において、前記搬送路の長さによって両面印刷順序を変更して最適な両面印刷を行うことを特徴とする。
したがって、前記搬送路の長さによって両面印刷順序を変更するものであるので、エンジンが持つ両面印刷モードを効果的に選択することができ、両面印刷速度の向上を図ることが可能となる。
また、請求項３記載の発明は、請求項１の画像形成装置において、前記印刷待ちリストに連なる印刷データがもつ色の違いによって接続する印刷待ちリスト内のページ順序を切り替えて印刷順序を制御することを特徴とする。
したがって、前記印刷待ちリストに連なる印刷データがもつ色の違いによって接続する印刷待ちリスト内のページ順序を切り替えるものであるので、条件が異なるページであってもエンジンが持つ両面印刷モードを効果的に選択することができ、両面印刷速度の向上を図ることが可能となる。
また、請求項４記載の発明は、請求項１の画像形成装置において、前記印刷用紙の大きさによって、接続する印刷待ちリスト内のページ順序を切り替えて印刷順序を制御することを特徴とする。
したがって、前記印刷用紙の大きさによって、接続する印刷待ちリスト内のページ順序を切り替えるものであるので、条件が異なるページであってもエンジンが持つ両面印刷モードを効果的に選択することができ、両面印刷速度の向上を図ることが可能となる。
【０００５】
また、請求項５記載の発明は、請求項１の画像形成装置において、印刷用紙の厚さによって、接続する印刷待ちリスト内のページ順序を切り替えて印刷順序を制御することを特徴とする。
したがって、印刷用紙の厚さによって、接続する印刷待ちリスト内のページ順序を切り替えるものであるので、条件が異なるページであってもエンジンが持つ両面印刷モードを効果的に選択することができ、両面印刷速度の向上を図ることが可能となる。
また、請求項６記載の発明は、請求項１の画像形成装置において、印刷ジョブの所有者の違いによって、接続する印刷待ちリスト内のページ順序を切り替えて印刷順序を制御することを特徴とする。
したがって、印刷ジョブの所有者の違いによって、接続する印刷待ちリスト内のページ順序を切り替えるものであるので、条件が異なるページであってもエンジンが持つ両面印刷モードを効果的に選択することができ、両面印刷速度の向上を図ることが可能となる。
また、請求項７記載の発明は、請求項１の画像形成装置において、印刷中に発生する印刷する用紙無しの状態によって、接続する印刷待ちリスト内のページ順序を切り替えて印刷順序を制御することを特徴とする。
したがって、印刷中に発生する印刷する用紙無しの状態によって、接続する印刷待ちリスト内のページ順序を切り替えるものであるので、条件が異なるページであってもエンジンが持つ両面印刷モードを効果的に選択することができ、両面印刷速度の向上を図ることが可能となる。
【０００６】
また、請求項８記載の発明は、請求項１の画像形成装置において、印刷中に発生する消耗品切れとなった状態によって、接続する印刷待ちリスト内のページ順序を切り替えて印刷順序を制御することを特徴とする。
したがって、印刷中に発生する消耗品がエンドとなった状態によって、接続する印刷待ちリスト内のページ順序を切り替えるものであるので、条件が異なるページであってもエンジンが持つ両面印刷モードを効果的に選択することができ、両面印刷速度の向上を図ることが可能となる。
また、請求項９記載の発明は、請求項１の画像形成装置において、両面印刷中に片面印刷を要求された場合に、接続する印刷待ちリスト内のページ順序を切り替えて印刷順序を制御することを特徴とする。
したがって、両面印刷中に片面印刷を要求された場合に、接続する印刷待ちリスト内のページ順序を切り替えるものであるので、条件が異なるページであってもエンジンが持つ両面印刷モードを効果的に選択することができ、両面印刷速度の向上を図ることが可能となる。
【０００７】
【発明の実施の形態】
以下に、添付の図を参照してこの発明の実施形態を詳細に説明する。
図１は、本発明による画像形成装置の一実施形態の概略構成ブロック図である。
図１に示すように、この画像形成装置１は、全体の制御を行うＣＰＵ３と、ＣＰＵ３が実行するプログラムを格納するＲＯＭ５と、ＣＰＵ３が処理を実行する際に使用するＲＡＭ７と、ホストコンピュータ９との通信を行うＩ／Ｆ１１と、印刷データを展開するメモリ１３と、印刷画像を形成するための画像形成部１５とを有している。そして、前記ＣＰＵ３は、前記ホストコンピュータ９等よりの印刷コマンドに従い前記画像形成部１５を制御して、印刷動作を実行する。
なお、前記画像形成部１５は、印刷動作が終了した用紙を反転して再給紙し、再給紙した紙の反転印刷面に対して印刷することにより両面印刷を行うようになっていると共に、前記用紙の搬送路上に複数枚の用紙を載せ、両面印刷の生産性を上げるインターリーフ方式を採用するようになっている。
本発明は、この画像形成部１５が持つ搬送路上に複数枚の用紙を載せて両面印刷の生産性を上げるインターリーフ方式を実現するために設けられた、印刷順序を表す「印刷待ちリスト」のほかにもうひとつ「印刷待ち準備リスト」を設ける。すなわち、印刷待ちリストを２つ設けている。
そして、ＣＰＵ３は、要求のあったページをそのまま印刷待ちリストにつなげるのではなく、一旦、そのページが持つ面属性（そのページの表、裏）によってつなぐリストを切り替えるようにし、この印刷待ち準備リストにつなぐことのできるページの数を変えることによって、画像形成部１５が持つ搬送路の長さに依らずインターリーフ方式を実現することを可能としたものである。
なお、前記印刷待ちリストおよび印刷待ち準備リストは、前記印刷データを展開するメモリ１３内に設けられている。
また、前記画像形成部１５は、印刷動作が終了した用紙を反転して再給紙する両面ユニットを有している。
【０００８】
次に、前記画像形成装置１の両面印刷制御動作について詳しく説明する。
まず、ＣＰＵ３は貯えられた印刷ページ情報をもとに、印刷しようとするページとその前後に存在するページ情報とを比較し、連結する印刷待ちリストを決定する。更に、印刷ページを走査していき印刷条件が異なるページを見つけた場合は条件が異なるページを印刷する前に印刷モードの変更を行う。この実施形態の場合、そのページが持つ面属性（そのページの表、裏）によって、そのページが表面の場合、印刷待ち準備リストに、そのページが裏面の場合、印刷待ちリストに繋げるようにする。
なお、リストに連結されるページはそれぞれ自分と対になるページにリンクを張っているものとする。対になるページとは同一用紙の裏と表を指す。
次に、両面印刷における印刷順序決定のシーケンスを図２から図７を用いて説明する。
ここで、印刷ページは６ページの両面印刷で、これらのページの印刷条件は同一のものとする。
フェイスダウン印刷を行う画像形成装置での両面印刷は、裏面（偶数ページ）→表面（奇数ページ）という順序で印刷を行う。このためＣＰＵ３からの印刷要求は２→１→４→３→６→５のページ順で送られてくる。なお、今回想定する画像形成部１５は搬送路上に２枚の紙を同時に給紙できるエンジンとする。
【０００９】
（１）最初のページ（２ページ目）の処理
最初のページ（２ページ目）の処理面属性は裏面（偶数ページ）であるから、印刷待ちリストにページを繋げる。このとき、印刷待ちリストが空リスト（ページが無い）であるため、そのまま印刷待ちリストにこのページ（２ページ目）を繋げる（図２参照）。
（２）次のページ（１ページ目）の処理
１ページ目の処理面属性は表面（奇数ページ）であるから、印刷準備リストにページを繋げる。このとき、印刷待ち準備リストが空リスト（ページが無い）であるため、そのまま印刷待ち準備リストにこのページ（１ページ目）を繋げる（図３参照）。
（３）次のページ（４ページ目）の処理
４ページ目の処理面属性は裏面（偶数ページ）であるから、印刷待ちリストにページを繋げる。このとき、印刷待ちリストに既にページ（２ページ目）が存在するため、そのページとの印刷条件を比較する。今回、既にあるページと連結しようとするページが持つ印刷条件は同一であるため、そのまま印刷待ちリストにこのページ（４ページ目）を繋げる（図４参照）。
（４）次のページ（３ページ目）の処理
３ページ目の処理面属性は表面（奇数ページ）であるから、印刷待ち準備リストにページを繋げる。そして、連結後、印刷待ち準備リストに連結されたページの数を求める。
今回、想定しているエンジンは搬送路上に２枚の用紙を給紙できるものであるため、印刷待ち準備リストはその枚数から１減算した数のページまでを保持することができるリストとする。（２−１＝１）（図５の上段参照）
ここで、その理由を以下に説明する。この印刷待ち準備リストは、表面ページを一旦、退避させることをその役割とし、これを用いることで、裏面ページが連続で印刷待ちリストにつなぐことが可能になる。今回のように印刷待ちリストに２つ連続で裏面ページを並べるためには、印刷待ち準備リストの長さは最大で１ページ分となる。
しかし、３ページ目を連結した時点で印刷待ち準備リストにつながるページは２つとなる。これは、このリストにつなぐことのできる最大ページ数を越えるため、次のような処理を行う。
印刷待ち準備リストの先頭ページ（１ページ目）を切り離し、このページを印刷待ちリストの最後尾につなげる（図５の中段参照）。これにより、１ページ目から４ページ目までが印刷待ちリストに最適な印刷順序でつながることとなる（図５の下段参照）。
なお、上述したように、この印刷待ち準備リストにつなぐことのできるページの数は変えることができるので、前記用紙の搬送路の長さが変っても対応が可能となる。
【００１０】
（５）次のページ（６ページ目）の処理
４ページ目と同様の処理で印刷待ちリストに連結する（図６参照）。
（６）最後のページ（５ページ目）の処理
３ページ目と同様の処理で印刷待ちリストに連結する（図７参照）。
前記の処理により、エンジンの性能を最大限発揮できるような印刷順序を実現することができる。ＣＰＵ３は印刷待ちリストの順に印刷を行い、印刷待ちリストにページが無くなったら、印刷待ち準備リストにつながっているページを印刷するだけでよく、印刷待ち状態を必要とするタイミング制御とは無縁となる。
このように、本発明によれば、印刷するデータが持つ諸条件に応じて印刷ページの順序を変え、印刷印刷モードを自動的に変化させる。これにより、印刷ページの面属性によってそれぞれ独立に印刷実行／印刷待ち状態を作る従来の方式（特許第２８７９９３３号）とは違い、本発明は、印刷待ちリストを２本持ち、印刷ページをこれらのリストに並べるだけで印刷待ち状態なしに印刷ができ、両面印刷速度が上がり、エンジンが持つ最大の生産性が実現される。
【００１１】
次に、両面印刷中に印刷条件が変化した場合の印刷順序の実現処理（第２実施形態）を図８を用いて説明する。
今回の印刷は先の実施形態で使用したエンジンを用い、６ページ、３枚の紙を印刷する。ただし、例えば、前記ホストコンピュータ９から異なる紙サイズのコマンドが送られ、３枚目（５、６ページ）の用紙サイズが他の紙と異なっている場合を想定する。
ここで、（１）−（４）の１ページ目から４ページまでは先の実施形態と同様の処理となるので説明は省略する。
（５）６ページ目の処理
６ページ目は裏面ページであるため、今までと同様印刷待ちリストに連結することを目指す。連結を行う際、印刷待ちリストの最後尾のページとこれから連結しようとするページ（６ページ目）との印刷条件の比較を行う。今回、用紙サイズが異なっているため、６ページ目を印刷待ちリストに連結する前に印刷待ち準備リストにあるページをすべて印刷待ちリストに移し変える（図８の上段参照）。その理由を以下に示す。
印刷条件が変わった場合、エンジンは印刷条件が異なるページを設定無しで印刷することはできないため、ＣＰＵ３は変化したページを印刷する前にエンジンに対し変化した内容を通知し、エンジンの設定を変更する必要がある。
両面印刷中の場合、多くのエンジンは搬送路上に用紙がなくなるまで設定変更を行うことができない。よって、ＣＰＵ３は現在印刷中の紙に載るページを優先的に印刷するように印刷順序を変更し、できるだけ早い段階でエンジンを設定変更可能状態にする必要がある。このような処理を実現するために、実質的な印刷順序を示す印刷待ちリストに印刷条件の異なる新しいページを連結する前に印刷待ち準備リストにおけるページの有無を確認し、ページが存在する場合には、新しいページの連結する前に、それらのページを印刷待ちリストに追加する。その後で、印刷条件が異なる６ページ目を印刷待ちリストに追加する。（図８の中段参照）
これにより６ページ目を印刷する前にエンジンの搬送路上に残る紙がなくなるため、エンジンはＣＰＵ３からの新しい設定を受けることが可能となる。
【００１２】
（６）５ページ目の処理
５ページ目は表面ページであるため、先の実施形態と同様の手順で印刷待ち準備リストに連結する。（図８の下段参照）
このような処理を実行することで両面印刷中に印刷順序が変化した場合でも、エンジン性能を最大限に発揮するような印刷制御が可能となる。
なお、用紙の厚さが変わった場合でも、この手順と同様の方法でＣＰＵ３は画像形成装置に対して設定変更を通知し、接続する印刷待ちリスト内のページ順序を切り替えて印刷順序を制御する。
また、両面印刷から片面印刷に切り替わった場合でも、この手順と同様の方法でＣＰＵ３は画像形成装置に対して設定変更を通知し、接続する印刷待ちリスト内のページ順序を切り替えて印刷順序を制御する。
上述した実施形態の両面印刷制御動作をまとめると図９に示すような動作フローチャートとなる。
すなわち、この両面印刷制御動作が開始されると、図９のステップ１０１に示すように、ＣＰＵ３からの印刷要求のページの面属性が判断され、前記ページの面属性が裏面の場合、ステップ１０３において、リストの有無、すなわちリストが空か否かが判断される。前記ステップ１０３においてリストが空の場合は、ステップ１０９において、印刷待ちリストの末尾にそのページが連結され、前記ステップ１０３においてリストが空でない場合は、ステップ１０５において、そのページとリスト内のページとの印刷条件の比較が行われる。
前記ステップ１０５においてそのページとリスト内のページとの印刷条件が一致する場合は、ステップ１０９において、印刷待ちリストの末尾にそのページが連結され、印刷条件が一致しない場合は、ステップ１０７において、印刷待ち準備リストに連結されるすべてのページを印刷待ちリストに連結し、ステップ１０９において、印刷待ちリストの末尾にそのページが連結される。
また、前記ステップ１０１において、前記ページの面属性が表面の場合、ステップ１１１において、印刷待ち準備リストの末尾にそのページが連結され、ステップ１１３において、前記印刷待ち準備リストのページ数が許容範囲を超えているか否かが判断され、許容範囲を越えている場合は、ステップ１１５において、印刷待ち準備リストの先頭ページを印刷待ちリストの末尾に連結する。
【００１３】
次に、両面印刷中に消耗品が無くなった場合の処理（第３実施形態）を図１０、図１１を用いて説明する。ここで、図１０は、２ページ目の印刷中に消耗品エンドとなった場合の処理の説明図であり、図１１は、２ページ目の印刷中に消耗品エンドとなった場合の処理のフローチャートである。
今回の印刷は先の実施形態で使用したエンジンを用い、４ページ、２枚の紙を印刷する時に、２ページ目の印刷中に消耗品が無くなった場合を想定する。なお、消耗品がなくなった場合、画像印刷装置の印刷は両面トレイに残っているページのみとし、通常トレイからの印刷は禁止する。ＣＰＵ３はこのエンジン制約を満たすように印刷ページ順序を切り替える。
（１）印刷待ちリストに印刷開始済みページのみを残すため、印刷待ちリストから印刷開始前状態の裏面ページ（偶数ページ）を探す（図１０の上段および図１１のステップ２０１、２０３参照）。
裏面ページ（偶数ページ）が見つからなかった場合は、印刷待ち準備リストの検索を行い（図１１のステップ２０５、２０７参照）、印刷待ち準備リストにページが有る場合、印刷待ち準備リストの先頭ページを印刷待ちリストの末尾に連結する（図１０の下段および図１１のステップ２０９参照）。
なお、裏面ページ（偶数ページ）が見つかった場合は（２）に進む。
（２）前記（１）の処理で見つかった印刷開始前ページと対になる表面ページ（奇数ページ）を印刷待ちリストおよび印刷待ち準備リストの両方から検索し、
見つかった表面、裏面の両方のページをそれぞれのリストから削除する。（図１０の中段および図１１のステップ２１１、２１３参照）
このような処理により、消耗品がなくなった場合、既に片面を印刷下両面と例からの印刷が行われ、通常トレイからの印刷が抑制されることとなる。この処理は消耗品エンド時のみならず用紙無しの場合でも用いられる。
なお、本発明は、以下のようなさまざまな印刷条件が変化した場合にも適用できる。以下に、さまざまに印刷条件が変化した場合の変形例について説明する。
すなわち、前記用紙の搬送路の長さによって両面印刷順序を変更して最適な両面印刷を行ったり、また、この画像形成装置１がカラー印刷を行う場合、前記印刷待ちリストに連なる印刷データがもつ色の違いによって接続する印刷待ちリスト内のページ順序を切り替えて印刷順序を制御するようにもできる。
また、印刷ジョブの所有者の違い（ユーザーＩＤの違い）によって、接続する印刷待ちリスト内のページ順序を切り替えて印刷順序を制御したり、印刷中に発生する印刷する用紙無しの状態によって、接続する印刷待ちリスト内のページ順序を切り替えて印刷順序を制御したりもできる。
【００１４】
【発明の効果】
以上の説明から理解されるように、本発明によれば、両面印刷可能な画像形成装置において、ページが持つ種々の条件をもとに印刷する順序および印刷待ちリストを自動的に切り替えるものであるので、条件が異なるページであってもエンジンが持つ両面印刷モードを効果的に選択することができ、両面印刷速度の向上を図ることが可能となる。
【図面の簡単な説明】
【図１】本発明による画像形成装置の一実施形態の概略構成ブロック図。
【図２】本発明による画像形成装置の第１実施形態における両面印刷における印刷順序決定のシーケンスの説明図であり、２ページ目のリストへの追加を示す図。
【図３】本発明による画像形成装置の第１実施形態における両面印刷における印刷順序決定のシーケンスの説明図であり、１ページ目のリストへの追加を示す図。
【図４】本発明による画像形成装置の第１実施形態における両面印刷における印刷順序決定のシーケンスの説明図であり、４ページ目のリストへの追加を示す図。
【図５】本発明による画像形成装置の第１実施形態における両面印刷における印刷順序決定のシーケンスの説明図であり、３ページ目のリストへの追加を示す図。
【図６】本発明による画像形成装置の第１実施形態における両面印刷における印刷順序決定のシーケンスの説明図であり、６ページ目のリストへの追加を示す図。
【図７】本発明による画像形成装置の第１実施形態における両面印刷における印刷順序決定のシーケンスの説明図であり、５ページ目のリストへの追加を示す図。
【図８】本発明による画像形成装置の第２実施形態における両面印刷における印刷順序決定のシーケンスの説明図であり、６ページ目から用紙サイズが異なった場合の処理を示す図。
【図９】本発明による画像形成装置の第１実施形態における両面印刷における印刷順序決定のシーケンスのフローチャート。
【図１０】本発明による画像形成装置の第３実施形態における両面印刷における印刷順序決定のシーケンスの説明図であり、２ページ目の印刷中に消耗品エンドとなった場合の処理を示す図。
【図１１】本発明による画像形成装置の第３実施形態における両面印刷における印刷順序決定のシーケンスのフローチャート。
【符号の説明】
１…画像形成装置、３…ＣＰＵ、５…ＲＯＭ、７…ＲＡＭ、９…ホストコンピュータ、１３…メモリ、１５…画像形成部
【図１】
2004347627.tif 000003
【図２】
2004347627.tif 000004
【図３】
2004347627.tif 000005
【図４】
2004347627.tif 000006
【図５】
2004347627.tif 000007
【図６】
2004347627.tif 000008
【図７】
2004347627.tif 000009
【図８】
2004347627.tif 000010
【図９】
2004347627.tif 000011
【図１０】
2004347627.tif 000012
【図１１】
2004347627.tif 000013